(57)【特許請求の範囲】
【請求項１】
円筒形状に形成され前記円筒形状の下部が軒樋集水器の落とし口に挿入される円筒ネット部と、
前記円筒ネット部の外周面から外側に延びる平面ネット部とを備え、
前記平面ネット部の両端部を前記軒樋集水器に接続される軒樋を支持する支持面上に位置させることにより、前記軒樋集水器の底面部を覆う落ち葉除けネットであって、
前記円筒ネット部の略中心において縦方向に二分割されていることを特徴とする落ち葉除けネット。
【請求項２】
円筒形状に形成され前記円筒形状の下部が軒樋集水器の落とし口に挿入される円筒ネット部と、
前記円筒ネット部の外周面から外側に延びる平面ネット部とを備え、
前記平面ネット部の両端部を前記軒樋集水器に接続される軒樋を支持する支持面上に位置させることにより、前記軒樋集水器の底面部を覆う落ち葉除けネットであって、
前記円筒ネット部の外周面に縦方向に延びる一つの切断部を有し、かつ前記平面ネット部の前記円筒ネット部の切断部に対応する位置に切断部を有することを特徴とする落ち葉除けネット。
【請求項３】
前記円筒ネット部の上部は、前記軒樋集水器内の雨水の水頭から突出することを特徴とする請求項１または２記載の落ち葉除けネット。
【請求項４】
請求項１〜３の何れか一項に記載の落ち葉除けネットを備えたサイホン式高排水システム。
【発明の詳細な説明】
【技術分野】
【０００１】
本発明は、軒樋集水器に取付けられる落ち葉除けネット、及び該落ち葉除けネットを備えたサイホン式高排水システムに関するものである。
【背景技術】
【０００２】
近年、省資源で大量の雨水を排水可能なシステムへの要望が高まっている。特に雨樋においては径の細い竪樋を用い、いわゆるサイホンの原理を利用して排水を行うサイホン式高排水システムが提案されている。この高排水システムにおいては、落ち葉をはじめとするごみの竪樋への流入により管詰まりが生じる危険性が高いため落ち葉除けは必須である。
【０００３】
従来の落ち葉除けには、雨水の排水量を確保しつつ竪樋内へのゴミの流入を阻止する樋用ゴミ除けカバーが存在する（特許文献１参照）。
【先行技術文献】
【特許文献】
【０００４】
【特許文献１】特開２００５−３３６７４７号公報
【発明の概要】
【発明が解決しようとする課題】
【０００５】
しかし、上述の樋用ゴミ除けカバーを軒樋集水器の底面部に設置した場合には、雨水と共に軒樋集水器に流れ込んだ落ち葉やごみが樋用ゴミ除けカバーと底面部との隙間を通過して竪樋内へ流入するおそれがあった。
【０００６】
本発明の目的は、軒樋から竪樋への落ち葉やごみの流入を防ぎ、高排水性能を妨げない落ち葉除けネット及びサイホン式高排水システムを提供することである。
【課題を解決するための手段】
【０００７】
本発明の落ち葉除けネットは、円筒形状に形成され前記円筒形状の下部が軒樋集水器の落とし口に挿入される円筒ネット部と、前記円筒ネット部の外周面から外側に延びる平面ネット部とを備え、前記平面ネット部の両端部を前記軒樋集水器に接続される軒樋を支持する支持面上に位置させることにより、前記軒樋集水器の底面部を覆う落ち葉除けネットであって、前記円筒ネット部の略中心において縦方向に二分割されていることを特徴とする。
【０００８】
また、本発明の落ち葉除けネットは、円筒形状に形成され前記円筒形状の下部が軒樋集水器の落とし口に挿入される円筒ネット部と、前記円筒ネット部の外周面から外側に延びる平面ネット部とを備え、前記平面ネット部の両端部を前記軒樋集水器に接続される軒樋を支持する支持面上に位置させることにより、前記軒樋集水器の底面部を覆う落ち葉除けネットであって、前記円筒ネット部の外周面に縦方向に延びる一つの切断部を有し、かつ前記平面ネット部の前記円筒ネット部の切断部に対応する位置に切断部を有することを特徴とする。
【０００９】
また、本発明の落ち葉除けネットは、前記円筒ネット部の上部が、前記軒樋集水器内の雨水の水頭から突出することを特徴とする。
【００１０】
また、本発明のサイホン式高排水システムは、本発明の落ち葉除けネットを備えることを特徴とする。
【発明の効果】
【００１１】
本発明によれば、軒樋から竪樋への落ち葉やごみの流入を防ぎ、高排水性能を妨げない落ち葉除けネット及びサイホン式高排水システムを提供することができる。
【図面の簡単な説明】
【００１２】
【図１】実施の形態に係る落ち葉除けネットを軒樋集水器に取付けた状態を側面から見た一部断面図である。
【図２】実施の形態に係る落ち葉除けネットを軒樋集水器に取付けた状態を上から見た図である。
【発明を実施するための形態】
【００１３】
以下、図面を参照して本発明の実施の形態に係る落ち葉除けネットについて説明する。図１は、実施の形態に係る落ち葉除けネットを軒樋集水器に取付けた状態を側面から見た一部断面図であり、図２は、これを上から見た図である。軒樋集水器２は、雨水を竪樋４に排水するための落とし口６を有する底面部８、底面部８よりも上段に位置し軒樋（不図示）を支持する支持面１０、底面部８の屋内側に立設された屋内側壁１２、及び底面部８の屋外側に立設された屋外側壁１４とを有し、上方に拡開した略Ｕ字状の断面形状を有している。
【００１４】
ここで、軒樋集水器２は、断面の内面形状が軒樋の外面形状と略合致する接続部（不図示）を両端部に有しており、軒樋の端部を接続部に挿入することにより軒樋が軒樋集水器２に接続される。なお、軒樋集水器２は、軒樋によって集められた雨水を竪樋を用いて排水する排水システムに用いられるが、特に径の細い竪樋を用いて排水を行うサイホン式高排水システムにおいて有効に用いられるものである。
【００１５】
落ち葉除けネット１６は、円筒形状に形成された円筒ネット部１８と、円筒ネット部１８の外周面から外側に延びる長方形状の平面ネット部２０とにより構成され、広い表面積を有している。ここで、落ち葉除けネット１６は、容易に変形可能な合成樹脂等により形成される。
【００１６】
また、図２に示すように、落ち葉除けネット１６は、円筒の中心部において第１落ち葉除けネット１６ａと第２落ち葉除けネット１６ｂとの二つに分割されている。このため、落ち葉除けネット１６は、販売時や施工時等において二つの部品からなる一つのセットとして取り扱われる。また、第１落ち葉除けネット１６ａは、第１円筒ネット部１８ａと第１平面ネット部２０ａとを一体成型したものであり、第２落ち葉除けネット１６ｂは、第２円筒ネット部１８ｂと第２平面ネット部２０ｂとを一体成型したものである。
【００１７】
この落ち葉除けネット１６を軒樋集水器２に取付けた場合、第１平面ネット部２０ａの端部２２ａ及び第２平面ネット部２０ｂの端部２２ｂが支持面１０の上に位置するため、支持面１０よりも低い面である底面部８が平面ネット部２０によって覆われる。また、図１に示すように、円筒ネット部１８の下端部２４が軒樋集水器２の落とし口６に挿入され、円筒ネット部１８の上端部２６の位置が、軒樋集水器２内に雨水が集水された場合に円筒ネット部１８の上端部２６が常に雨水の水頭から突出するように軒樋集水器２の屋内側壁１２の上端部２８の位置と略同一の高さに設定される。
【００１８】
この実施の形態に係る落ち葉除けネット１６によれば、雨水と共に軒樋から軒樋集水器２に流れ込んだ落ち葉やごみは、竪樋４内へ流入する前に広い表面積を有する落ち葉除けネット１６の円筒ネット部１８及び平面ネット部２０によって捕捉される。従って、落ち葉やごみが竪樋４へ流れ込むのを防止することができ、かつ雨水の竪樋４内へ流入を阻害することがないため、高排水システムの高排水性を維持することができる。
【００１９】
また、落ち葉除けネット１６を軒樋集水器２に取付けた場合、底面部８が平面ネット部２０によって覆われるため、円筒ネット部１８の下部に落ち葉やごみが付着することがなく、竪樋４への雨水の排水を確実に確保することができる。
【００２０】
また、落ち葉除けネット１６は、落ち葉除けネット１６ａと落ち葉除けネット１６ｂとに分割されているため、落ち葉除けネット１６ａと落ち葉除けネット１６ｂとの間隔を変化させて円筒ネット部１８の口径を調整し、円筒ネット部１８の口径を落とし口６の口径に合わせて落ち葉除けネット１６を隙間なく軒樋集水器２に取付けことができる。
【００２１】
また、落ち葉除けネット１６は、合成樹脂等により形成されており加工が容易なため、例えば、刃物で平面ネット部２０を切断することにより軒樋集水器２の底面部８の形状に合わせて落ち葉除けネット１６を切断して軒樋集水器２に取付けることができる。また、刃物で円筒ネット部１８の上部を切断することにより、屋内側壁１２の上端部２８の位置に合わせて円筒ネット部１８の高さを調整するができる。また、円筒ネット部１８の下部を切断することにより、落とし口６の下部に位置するエルボ等の位置に合わせて円筒ネット部１８の長さを調整することができる。また、平面ネット部２０を変形させることによりさまざまな形状の軒樋集水器２に落ち葉除けネット１６を取付けることができる。
【００２２】
なお、上述の実施の形態においては、落ち葉除けネット１６が落ち葉除けネット１６ａと落ち葉除けネット１６ｂとに分割されている場合を例に説明したが、落ち葉除けネット１６は一体成型されていてもよい。この場合、円筒ネット部１８の外周面の一か所に縦方向の切断部を形成し、これに対応する位置において平面ネット部２０に切断部を形成してもよい。これにより、落とし口６の口径が小さい場合においても切断部の左右の円筒ネット部１８及び平面ネット部２０を重ね合わせて落ち葉除けネット１６を水平方向に収縮させ、容易に円筒ネット部１８の口径を落とし口６の口径に合わせることができる。
【００２３】
また、上述の実施の形態において、底面部８を覆うことができれば平面ネット部２０の形状は長方形状に限定されない。
【符号の説明】
【００２４】
２…軒樋集水器、４…竪樋、６…落とし口、８…底面部、１０…支持面、１２…屋内側壁、１４…屋外側壁、１６…落ち葉除けネット、１６ａ…第１落ち葉除けネット、１６ｂ…第２落ち葉除けネット、１８…円筒ネット部、１８ａ…第１円筒ネット部、１８ｂ…第２円筒ネット部、２０…平面ネット部、２０ａ…第１平面ネット部、２０ｂ…第２平面ネット部
【図１】
0005830334.tif 000002
【図２】
0005830334.tif 000003